(57)【要約】【課題】砂よけに、合理的かつ都合良く、ゴルフに利用される小物類の保持機能を持たせる。【解決手段】シューズＳを構成する左右甲被Ｓｃ、Ｓｃ間の甲開き部Ｓｂ上に備えられてシューズＳ内への砂の進入を防ぐ砂よけＧであって、可撓性を持ったシート体よりなるベース１の上部に左右一対の靴ひもＳａの通し部４を備えさせ、このベース１の下部に上下に間隔を開けて雌雄をなす掛合体５を備えさせ、さらに、このベース１における前記通し部４と掛合体５との間に位置される箇所に、ティーＴ若しくはマーカーＭ又はこれらの双方の保持部６を一箇所以上備えさせてなる。【選択図】図１
2011015847.tif 000002
【特許請求の範囲】
【請求項１】
シューズを構成する左右甲被間の甲開き部上に備えられてシューズ内への砂の進入を防ぐ砂よけであって、
可撓性を持ったシート体よりなるベースの上部に左右一対の靴ひもの通し部を備えさせ、
このベースの下部に上下に間隔を開けて雌雄をなす掛合体を備えさせ、
さらに、このベースにおける前記通し部と掛合体との間に位置される箇所に、ティー若しくはマーカー又はこれらの双方の保持部を一箇所以上備えさせてなるゴルフ用砂よけ。
【発明の詳細な説明】
【技術分野】
【０００１】
この発明は、ゴルフをプレイする際に着用されるシューズに、その靴ひもを利用して備えられる砂よけの改良に関する。
【背景技術】
【０００２】
ゴルフシューズには、バンカーショットなどの際のシューズ内への砂の進入を防ぐために、砂よけが備えられる。この砂よけは、シューズを構成する左右甲被間の甲開き部上に備えられる。また、典型的には、この砂よけは上部にこの甲開き部を締め込む靴ひもの通し部を備えており、この靴ひもを利用して前記甲開き部上に備えられる。
【０００３】
一方、ゴルフに利用される小物類をゴルフシューズに保持させるようにしたものとして、特許文献１に示されるホルダーがある。このホルダーは、靴ひもの通し部とティーなどを差し込み穴とを備えており、前記甲開き部の下部側（つま先側）であって前記砂よけの裏面側に備えられるようになっている。
【先行技術文献】
【特許文献】
【０００４】
【特許文献１】実開平６−９６７０号公報
【発明の概要】
【発明が解決しようとする課題】
【０００５】
この発明が解決しようとする主たる問題点は、この種の砂よけに、合理的かつ都合良く、ゴルフに利用される小物類の保持機能を持たせるようにする点にある。
【課題を解決するための手段】
【０００６】
前記課題を達成するために、この発明にあっては、ゴルフ用砂よけを、シューズを構成する左右甲被間の甲開き部上に備えられてシューズ内への砂の進入を防ぐ砂よけであって、
可撓性を持ったシート体よりなるベースの上部に左右一対の靴ひもの通し部を備えさせ、
このベースの下部に上下に間隔を開けて雌雄をなす掛合体を備えさせ、
さらに、このベースにおける前記通し部と掛合体との間に位置される箇所に、ティー若しくはマーカー又はこれらの双方の保持部を一箇所以上備えさせてなるものとした。
【０００７】
かかる砂よけは、ベースの上部の通し部をもってこの上部を前記シューズの甲開き部の上部側（履き口側）に留め付けられる。それと共に、この甲開き部の下部側（つま先側）において左右の甲被間を亘る靴ひもにベースの下部を掛け回した上で前記雌雄をなす掛合体を掛合させることで、このベースの下部を甲開き部の下部側に留め付けることができる。これにより、前記保持部においてティーやマーカーを、それを利用したいときにはすぐにつまみ取れる状態で、安定的に保持させることができる。また、砂よけは煽られることがなく、甲開き部からの砂の進入は十分に防止される。
【発明の効果】
【０００８】
この発明によれば、この種の砂よけに、合理的かつ都合良く、ゴルフに利用される小物類の保持機能を持たせることができる。また、かかる砂よけは、構造的には簡素であり、ゴルフシューズ以外のシューズに備えさせることで、こうしたシューズをゴルフのプレイに利用可能なものにすることができる。また、かかる砂よけを構成するシート体の材質を、例えば皮革にしたり、シート体にブランド名を表示したり模様などを施すことにより、これを装着したシューズの外観性を向上させるものともなる。
【図面の簡単な説明】
【０００９】
【図１】図１はティーの保持部を備えた砂よけの表面側の斜視図である。
【図２】図２はティーの保持部を備えた砂よけの裏面側の斜視図である。
【図３】図３は砂よけをシューズに装着した状態を示した要部斜視図である。
【図４】図４はマーカーの保持部を備えた砂よけの表面側の斜視図である。
【発明を実施するための形態】
【００１０】
以下、図１〜図３に基づいて、この発明の典型的な実施の形態について説明する。この実施の形態にかかる砂よけＧは、ゴルフをプレイする際に着用されるシューズＳに、その靴ひもＳａを利用して備えられるものである。かかるシューズＳはゴルフシューズＳに限られるものではなく、靴ひもＳａにより締め込まれる甲開き部Ｓｂを左右甲被Ｓｃ、Ｓｃ間に有するシューズＳ（つまり履き物）であれば、本砂よけＧの利用対象である。
【００１１】
かかる砂よけＧは、可撓性を持ったシート体よりなるベース１を主体として構成されている。かかるベース１は、典型的には、合成樹脂製のシートや、布、皮革などから構成することができる。図示の例では、ベース１を合成樹脂製のシートから構成させている。
【００１２】
図示の例では、かかるベース１は、左右方向の寸法をその上部から上下方向中程の位置よりもやや下側となる位置までの間において下方に向かうに連れて漸減させており、幅広の上辺２ａと前記位置に向かって内窄まり状に傾斜する傾斜側辺２ｂとをもった主体部２を備えている。また、この主体部２の下端には細幅帯状をなす延長部３が連続されており、この延長部３の下端がベース１の下端となっている。
【００１３】
かかるベース１の上部、図示の例では、主体部２の上辺２ａ近傍であって、この主体部２を左右に等しく分ける仮想の中心線ｘを挟んだ両側にそれぞれ、ベース１を表裏に貫通する円形の貫通穴４ａが形成されており、この左右の貫通穴４ａにそれぞれ靴ひもＳａを通すことで砂よけＧの上部をその裏面を甲被Ｓｃの外面に沿わせるようにしてシューズＳの甲開き部Ｓｂの上部側（履き口側）に留め付けることができるようになっている。すなわち、図示の例では、かかる貫通穴４ａが、靴ひもＳａの通し部４として機能するようになっている。
【００１４】
また、かかるベース１の下部、図示の例では、前記主体部２の下端から延長部３に亘る箇所に、上下に間隔を開けて雌雄をなす掛合体５が備えられている。図示の例では、かかる掛合体５を、ベース１の表面側に嵌合側を位置させるようにして、前記仮想の中心線ｘ上に備えられたホック５ａとしている。これにより、シューズＳの甲開き部Ｓｂの下部側（つま先側）において左右の甲被Ｓｃ間を亘る靴ひもＳａの下側に延長部３を通して下方に引き出した状態からこの延長部３の引き出し箇所を上方に屈曲させることでかかる靴ひもＳａにベース１の下部を掛け回すことができるようになっている。そして、このようにベース１の下部を靴ひもＳａに掛け回した上で前記雌雄をなす掛合体５、５図示の例では雌雄をなすホック５ａ、５ａを掛合させることで、このベース１の下部を甲開き部Ｓｂの下部側に留め付けることができるようになっている。（図３）
【００１５】
また、かかるベース１における前記通し部４と掛合体５との間に位置される箇所に、図１〜図３に示される例ではティーＴの保持部６が二箇所設けられている。また、図４に示される例ではマーカーＭの保持部６が一箇所設けられている。
【００１６】
図１〜図３に示される例では、ベース１の表面の前記仮想の中心線ｘ上に位置される箇所に対し、上下に長い細幅の帯状片６ａを、その上端と下端と中間部とにおいてそれぞれ溶着させることで、左右方向にティーＴの軸部を挿通可能とした二つのループ部６ｂを形成させて、前記二箇所の保持部６を形成させている。このループ部６ｂに側方からティーＴをはめ込むことことで、砂よけＧを介してシューズＳの甲開き部Ｓｂ上に二本のティーＴを取り外し可能に保持するようになっている。
【００１７】
また、図４に示される例では、ベース１の表面と裏面との間に、板状の永久磁石６ｃを内蔵させ、金属製のマーカーＭをこの永久磁石６ｃ上のベース１の表面に吸着保持させるようにして、前記一箇所の保持部６を形成させている。
【００１８】
これにより、この実施の形態にかかる砂よけＧによれば、前記保持部６においてティーＴやマーカーＭを、それを利用したいときにはすぐにつまみ取れる状態で、ベース１の上部と下部との二箇所においてシューズＳの甲被Ｓｃ上に安定的に保持させることができる。また、砂よけＧは煽られることがなく、甲開き部Ｓｂからの砂の進入は十分に防止される。
【符号の説明】
【００１９】
Ｓ  シューズ
Ｓａ  靴ひも
Ｓｂ  甲開き部
Ｓｃ  甲被
１  ベース
４  通し部
５  掛合体
６  保持部
Ｔ  ティー
Ｍ  マーカ
【図１】
2011015847.tif 000003
【図２】
2011015847.tif 000004
【図３】
2011015847.tif 000005
【図４】
2011015847.tif 000006